(57)【要約】【課題】複雑な操作を必要とせず、アンテナの設置状況がエリア設計時に定めた設置条件に一致しているかどうかを、確認できるようにする。【解決手段】基地局のアンテナに取り付けた通信装置で測定したアンテナの設置方位および／または設置角度の測定結果を基地局を特定する情報とともに通信回線を介してサーバーに送信し、サーバーにおいて予め格納しておいたエリア設計情報と、通信装置から送信されてきた測定結果を比較して、比較結果を通信回線を介して前記通信装置へ送信し、通信装置は、サーバーから受信した比較結果を、表示部に表示する。【選択図】  図１２
2016152419.tif 000002
【特許請求の範囲】
【請求項１】
基地局アンテナの方位を測定する方位センサーと、基地局アンテナの角度を測定する角度センサーと、前記方位センサーと前記角度センサーを制御し測定処理を行う測定機能部と、測定結果を基地局を特定する情報とともに通信回線を介して送信するとともに通信回線を介して情報を受信する通信機能部と、前記測定機能部を動作させるための情報の入力および前記通信回線を介して受信した情報を出力する入出力インターフェースを備え、基地局のアンテナに取り付けられる通信装置と、
無線通信システム内の基地局それぞれについて、エリア設計時に設定した設置方位および設置角度の情報を有し、前記通信装置から受信した、基地局の方位および／または角度の測定結果と前記エリア設計時に設定した情報と比較し、比較した結果を、前記通信装置に通信回線を介して送信するサーバーと、
から構成されることを特徴とする基地局アンテナの設置作業支援システム。
【請求項２】
請求項１に記載の基地局アンテナの設置作業支援システムであって、
前記通信装置は、角度調節可能な状態で前記アンテナに取り付けられるとともに、カメラを有し、前記カメラで撮影した画像をサーバーに送信することを特徴とする基地局アンテナの設置作業支援システム。
【請求項３】
請求項１に記載の基地局アンテナの設置作業支援システムであって、
前記測定機能部を動作させるための情報は、基地局アンテナの設置作業者のＩＤ、パスワード、設置作業を行う基地局番号およびセクタ情報であることを特徴とする、基地局アンテナの設置作業支援システム。
【請求項４】
請求項１または２に記載の基地局アンテナの設置作業支援システムであって、
前記サーバーが有するエリア設計時に設定した設置方位、設置角度のそれぞれに許容誤差を設定しておき、前記サーバーは、通信装置から送られてきた測定結果が前記許容誤差の範囲内であれば、基地局アンテナが正しく設置されている旨の比較結果を送信することを特徴とする基地局アンテナの設置作業支援システム。
【請求項５】
請求項１または２に記載の基地局アンテナの設置作業支援システムであって、
前記通信装置はスマートフォンであり、前記測定機能部を動作させるための情報の入力およびサーバーから受信した比較結果は、タッチパネルより入力または表示されることを特徴とする基地局アンテナの設置作業支援システム。
【請求項６】
基地局のアンテナに取り付けた通信装置で測定したアンテナの設置方位および／または設置角度の測定結果を基地局を特定する情報とともに通信回線を介してサーバーに送信し、
サーバーにおいて予め格納しておいたエリア設計情報と、前記通信装置から送信されてきた測定結果を比較して、比較結果を通信回線を介して前記通信装置へ送信し、
前記通信装置は、サーバーから受信した比較結果を、表示部に表示することを特徴とする基地局アンテナの設置作業支援方法。
【請求項７】
請求項６に記載の基地局アンテナの設置作業支援方法であって、
前記通信装置は、角度調節可能な状態で前記アンテナに取り付けられるとともに、カメラを有し、前記カメラで撮影した画像をサーバーに送信することを特徴とする基地局アンテナの設置作業支援方法。
【請求項８】
請求項６に記載の基地局アンテナの設置作業支援方法であって、
前記基地局を特定する情報は、設置作業を行う基地局の基地局番号およびセクタ情報であることを特徴とする、基地局アンテナの設置作業支援方法。
【請求項９】
請求項６または７に記載の基地局アンテナの設置作業支援方法であって、
前記サーバーが有するエリア設計情報に許容誤差を設定しておき、前記サーバーは、通信装置から送られてきた測定結果が前記許容誤差の範囲内であれば、基地局アンテナが正しく設置されている旨の比較結果を通信装置へ送信することを特徴とする基地局アンテナの設置作業支援方法。
【請求項１０】
請求項６または７に記載の基地局アンテナの設置作業支援方法であって、
前記通信装置はスマートフォンであり、前記サーバーから受信した比較結果は、タッチパネルに表示されることを特徴とする基地局アンテナの設置作業支援方法。
【発明の詳細な説明】
【技術分野】
【０００１】
本発明は、無線通信システムにおける基地局アンテナの設置作業支援に関する。
【背景技術】
【０００２】
携帯端末の普及に伴い、無線通信事業者各社は、通信のつながりやすさの向上や、高速な無線通信サービスを提供するエリアの拡大を進めている。携帯端末は、基地局が発する電波がカバーするエリア内でしか使用できず、カバーエリア外では通信不能となってしまう。そのため無線通信事業者各社は、電波が届かずカバーエリア外になるところができないように、エリア設計を行い、各地に基地局を設置している。基地局は、アンテナと、アンテナから送受信する信号を処理する無線処理部とで構成されている。無線処理部は、交換機（コアネットワーク）に繋がっている。
【０００３】
基地局のアンテナには、指向性のないアンテナを用いる場合と、指向性のあるアンテナを用いる場合がある。指向性のないアンテナの場合には、基地局の設置時にアンテナの設置方向を気にする必要はなく、仰角を設定する程度である。しかし指向性のあるアンテナの場合には、アンテナの設置方向と仰角の設定により基地局のカバーエリアが決まるため、設置時のアンテナ調整作業が非常に重要となる。
【０００４】
指向性のあるアンテナを基地局に用いるのは、セクタ分割を実施することが目的であることが多い。例えば、２本のアンテナを用いてセルを１８０°ずつ２セクタに分けた場合、１セクタ辺りのアンテナの通信容量負荷は、１セクタ３６０°構成の基地局に比べて、１／２になる。一般的には、アンテナの指向性を考慮し、１２０°ずつ３セクタ構成や、６０°ずつ６セクタ構成とする場合が多い。近年は、データ通信トラフィック量の増加に伴い、従来よりも３セクタや６セクタ構成の基地局を採用する場合が増えてきており、指向性のあるアンテナの重要性が増してきている。
【０００５】
指向性のあるアンテナを用いる場合は、エリア設計時および基地局設置時のアンテナの調整作業が複雑になる。無線通信システムにおいては、携帯端末が基地局のカバーエリアをまたがって移動した場合でも、通信が途切れないようにする必要がある。指向性のあるアンテナを用いている場合は、アンテナの方向がずれていると、隣接しあう基地局のカバーエリアの間に電波が届かない空白エリアができてしまい、通信が途切れてしまう。
【０００６】
また基地局やアンテナは、一度設置した後も、周波数の追加やＭＩＭＯ（Ｍｕｌｔｉｐｌｅ  Ｉｎｐｕｔ  Ｍｕｌｔｉｐｌｅ  Ｏｕｔｐｕｔ）のような新しいアンテナ技術に対応するため、数年ごとに新製品に置き換えられ、日々基地局の工事が実施されている。
【０００７】
実際の工事の現場では、指向性のあるアンテナを設置する際に、アンテナの方向が設計した方向からずれてしまうことが発生する。多くの工事現場では、アンテナの方向を確認する際に、衛星写真や地図を利用し、写真や地図の建物を目印にして、アンテナの方向を設定する。ところが、写真や地図は真上から見たものであるため、写真や地図上で目印として指定された建物と、アンテナから見える建物を一致させることが難しい。また、周囲に目印になる建物が乏しい場合は、目標物による方向判別が困難である。そのため、アンテナ設置時に、アンテナの設置方向を写真に撮影しておき、その写真を後日に精査することが行われるが、その際に設置方向の間違いが判明した場合、基地局への再度赴く必要があるため、アンテナの方向の再調整に大きな手間と時間、コストがかかってしまう。
【０００８】
基地局設置時に、アンテナの角度を確認する別の方法として、方向計等を用いる方法もある。しかし、一般的にアンテナの設置場所は支持柱の上であることも多く、そのような場合では高所作業となるため、安全に使用可能な装置が必要となる。また、設置後工事書類としてアンテナを設定した方向の写真を撮影する必要があるが、方向計を含めて写真を撮影することは、高所作業においては困難である。
【０００９】
基地局のアンテナの方位角、傾斜、高さのような情報を自動的に計測するための技術として、特許文献１がある。特許文献１には、磁北基準の方位が設定された状態において、基地局アンテナのパネル上の３個以上の点の距離及び角度を測定して３次元的座標値を算出し、３次元的座標値に基づいて、アンテナの傾斜及び測定された点を含む平面に対する方向ベクターを計算し、任意に測定した２点で構成された基準直線に対する方向ベクターを計算し、平面の方向ベクターと基準直線の方向ベクターを比較してアンテナの方位角と傾斜とを算出し、所定の基準方位角及び傾斜との誤差値を算出する方法が記載されている。
【先行技術文献】
【特許文献】
【００１０】
【特許文献１】特開２００４−２８６７５２号公報
【発明の概要】
【発明が解決しようとする課題】
【００１１】
本発明は、上記課題を解決するためになされたもので、アンテナを設置する場合に、高所作業においてもその場で複雑な操作を必要とせず、アンテナの設置状況がエリア設計時に定めた設置条件に一致しているかどうかを、確認できるようにすることを目的とする。
【課題を解決するための手段】
【００１２】
上記課題を解決するために、本発明のシステムは、一例として、基地局アンテナの方位を測定する方位センサーと、基地局アンテナの角度を測定する角度センサーと、方位センサーと角度センサーを制御し測定処理を行う測定機能部と、測定結果を基地局を特定する情報とともに通信回線を介して送信するとともに通信回線を介して情報を受信する通信機能部と、測定機能部を動作させるための情報の入力および前記通信回線を介して受信した情報を出力する入出力インターフェースを備え、基地局のアンテナに取り付けられる通信装置と、無線通信システム内の基地局それぞれについて、エリア設計時に設定した設置方位および設置角度の情報を有し、通信装置から受信した、基地局の方位および／または角度の測定結果と前記エリア設計時に設定した情報と比較し、比較した結果を、通信装置に通信回線を介して送信するサーバーとから構成したものである。
【発明の効果】
【００１３】
本発明によれば、アンテナを設置する場合に、高所作業においてもその場で複雑な操作を必要とせず、アンテナの設置状況がエリア設計時に定めた設置条件に一致しているかどうかを確認できる。
【図面の簡単な説明】
【００１４】
【図１】３セクタ構成のアンテナの概略図である。
【図２】本発明の一実施例におけるスマートフォンのアンテナ取り付け装置の構成例を示す図である。
【図３】アンテナ取り付け装置およびアンテナの断面図である。
【図４】本発明の一実施例におけるアンテナ取り付け装置のスマートフォン固定部の構成を示す図である。
【図５】本発明の一実施例におけるスマートフォン固定方法を説明する図である。
【図６】アンテナの方角の測定手順を説明する図である。
【図７】本発明の一実施例におけるアンテナ設置作業支援システムの全体構成を説明する図である。
【図８（ａ）】本発明の一実施例におけるサーバーの構成を説明する図である。
【図８（ｂ）】本発明の一実施例におけるサーバーのソフトウェア構成を示す図である。
【図９（ａ）】本発明の一実施例におけるスマートフォンの構成を説明する図である。
【図９（ｂ）】本発明の一実施例におけるスマートフォンのソフトウェア構成を説明する図である。
【図１０（ａ）】サーバーにあらかじめ格納しておくデータの一例を説明する図である。
【図１０（ｂ）】本実施例のスマートフォンからサーバーに送付するデータの例を示す図である。
【図１１（ａ）】サーバーの設定データテーブルのデータ格納イメージを説明する図である。
【図１１（ｂ）】サーバーのデータテーブルのデータ格納イメージを説明する図である。
【図１２】本発明の一実施例におけるスマートフォンの動作を説明するフローチャートである。
【図１３】本発明の一実施例におけるサーバーの動作を説明するフローチャートである。
【図１４】スマートフォンの画面表示例を示す図である。
【図１５】スマートフォンの画面表示例を示す図である。
【図１６】スマートフォンの画面表示例を示す図である。
【図１７】スマートフォンの画面表示例を示す図である。
【図１８】スマートフォンの画面表示例を示す図である。
【発明を実施するための形態】
【００１５】
本発明の実施例においては、工事対象の基地局と異なる無線通信事業者を利用して通信を行うスマートフォンに、基地局のアンテナの設置状態を測定するアプリケーションを搭載し、また、アンテナにスマートフォンを固定するため治具を備えておく、そして、基地局の設置工事等でアンテナの調整が必要な場合に、工事担当者が、アンテナに備えた治具にスマートフォンを固定してアプリケーションを起動し、スマートフォンのアプリケーションによって、アンテナの方向や角度を測定するとともにアンテナの取り付け方向の画像の撮像を行って、スマートフォンの通信機能を用いて測定した情報と基地局を特定する情報とをサーバーに送信する。サーバーでは、スマートフォンから受信した情報と、サーバーに格納してあるエリア設計情報とを比較してアンテナが正しく設置されているかどうかの判断を行い、判断結果をスマートフォンへ送信する。工事担当者は、サーバーから送信されてきた判断結果をスマートフォンの画面で確認しながら、必要に応じてアンテナの再調整を行い、アンテナを設置する。
スマートフォンが通信を行う基地局は、工事対象の基地局がまた電波を送信していな状態の場合には、工事対象の基地局の無線通信事業者であってもよい。
【００１６】
以下、本発明の実施例を図面を用いて説明する。
まず、スマートフォンをアンテナに取り付けるための装置について説明する。
図１は、３セクタ構成のアンテナの概略図である。
３セクタ構成のアンテナは、図１に示すように、支持柱１００に３セクタ分の円柱状のアンテナ１０１ａ〜１０１ｃを取り付ける。基地局の指向性アンテナは、円柱状であることが一般的であり、本実施例でも円柱状のアンテナの場合を例として説明する。
【００１７】
図２は、本発明の一実施例におけるスマートフォンのアンテナ取り付け装置の構成例を示す図である。
アンテナ取り付け装置２００は、アンテナ１０１にアンテナ取り付け装置２００を取り付けるためのアンテナかぶせ部２０１を有する。安全のために、アンテナ１０１を高所で支持柱等に付ける前に、アンテナを１０１地上で横倒しの状態でアンテナ取り付け装置２００を取り付けることを前提にしている。
アンテナかぶせ部２０１をアンテナ１０１にかぶせた後、アンテナ固定部２０２を用いて、アンテナ取り付け装置２００をアンテナ１０１に固定する。ここでは、ネジでしめる例を示しているが、クリップ等の他の固定方法でも構わない。アンテナ取り付け装置２００をアンテナに固定した後、スマートフォン固定部２０３にスマートフォンを固定する。
【００１８】
図３に、アンテナ取り付け装置およびアンテナの断面図を示す。
アンテナ取り付け装置２００は、アンテナ１０１の上端に、かぶせる形で取り付け、その上にスマートフォンをスマートフォン固定部２０３で固定する。
【００１９】
図４は、本発明の一実施例におけるアンテナ取り付け装置のスマートフォン固定部の構成を示す図である。
スマートフォン固定部２０３は、可動式部品４０１を組み合わせて使用する。角度固定部４００は、スマートフォン固定部２０３と可動式部品４０１を繋ぎ合わせる役目をもつ。また、角度固定部４００を軸にして可動式部品４００は角度を変更することができ、角度固定部４００を調整することで、その角度を保持する。可動式部品４０１には、スマートフォン固定部品４０２を備える。
【００２０】
次に、スマートフォンを固定する方法について説明する。
図５は、本発明の一実施例においてスマートフォンを固定する方法を説明する図である。
スマートフォン固定部品４０２に、スマートフォン５００を格納する。スマートフォンの落下を防ぐため、バンド５０１を取り付ける。
【００２１】
アンテナ形状は、円柱状のものを例にとって説明したが、円柱状のものだけでなく、他の形状のアンテナに対してもアンテナかぶせ部の形状を変更することで、同様に実施可能である。
【００２２】
次に、スマートフォンを用いたアンテナ状態の測定手順について説明する。
図６は、アンテナ方角の測定手順を説明する図である。
アンテナ１０１には、指向性アンテナの指向方向の中心目印６０１が付いているのが一般的である。本実施例においては、アンテナ取り付け装置２００のアンテナかぶせ部２０１に、指向性アンテナの指向方向の中心目印が見えるような確認窓６００(中心目印を確認するための穴)を設けておく。アンテナかぶせ部２０１取り付け時に、アンテナかぶせ部２０１の確認窓６００からアンテナについている指向方向の中心目印６０１がのぞくようにし、アンテナかぶせ部２０１の中心方向とアンテナの指向方向の中止目印６０１を合わせて取り付けておくことで、アンテナの指向方向とスマートフォンの固定方向を合わせることができる。このようにしてスマートフォンを取り付け、スマートフォンに搭載された方角センサーアプリケーションを用いてアンテナの設置方角等を測定する。アンテナから写真を撮影する際には、アンテナの上で、スマートフォン固定部２０３の可動式部品４０１の角度を任意に変更し、写真の撮影を行う。また、可動式部品４０１の角度を設定しないことで、アンテナの仰角を測定することができる。
【００２３】
次に、本実施例のアンテナ設置作業支援システムの構成および設置作業時におけるスマートフォンに搭載したアプリケーションとサーバーの動作について説明する。
【００２４】
図７は、本発明の一実施例におけるアンテナ設置作業支援システムの全体構成を説明する図である。
アンテナ設置作業支援システムは、工事対象の基地局のアンテナに固定されたスマートフォン５００と、スマートフォン５００がモバイル通信により通信を行う工事対象の基地局と異なる無線通信事業者の基地局７０３と、基地局７０３が接続されている工事対象の基地局と異なる無線通信事業者のコアネットワークの交換機７０２と、コアネットワークとインターネット７０１を介して接続された基地局設置作業支援サーバー７００（以下、単にサーバーと称する）から構成される。サーバー７００は、通常、工事現場から離れた場所に設置される。
【００２５】
図８（ａ）は、本発明の一実施例におけるサーバーの構成を説明する図である。
図８（ｂ）は、本発明の一実施例におけるサーバーの機能ブロック図である。
図８（ａ）において、サーバー７００は、情報処理装置８００と、補助記憶装置８０１と、通信装置８０２と、入出力装置８０３から構成される。情報処理装置８００は、本実施例のアンテナ設置作業支援のための情報の処理を行うとともに、サーバーの各部の制御を行う。補助記憶装置８０１は、情報処理装置８００の処理の結果生成された情報等の記憶や、エリア設計により設定されたアンテナの設置条件が格納されたデータテーブルを保存する。通信装置８０２は、インターネットを介して無線通信システムの構成と通信する機能を持つ。入出力装置８０３は、ディスプレイ８０４や、キーボード８０５より構成される。
【００２６】
次に、サーバー７００の機能ブロックを説明する。
図８（ｂ）に示すように、サーバー７００は、ＯＳ（Ｏｐｅｒａｔｉｎｇ  Ｓｙｓｔｅｍ）８０６上に、アプリケーション８０７が存在する。アプリケーションは、入出力インターフェース制御８０８、通信機能８０９、データベース制御８１０、情報処理８１１の機能を持つ。
【００２７】
次に、スマートフォンの構成および機能ブロックを説明する。
図９（ａ）は、本発明の一実施例におけるスマートフォンの構成を説明する図である。
図９（ｂ）は本発明の一実施例におけるスマートフォンの機能ブロック図である。
図９（ａ）において、スマートフォンは、情報処理装置９００、補助記憶装置９０１、通信装置、入出力装置９０３、センサー９０５を備える。情報処理装置９００、通常のスマートフォンの処理および本発明のアンテナ設置作業支援のためのアプリケーションプログラムに基づく情報の処理を行う。補助記憶装置９０１は、本発明のアンテナ設置作業支援のためのアプリケーションプログラムにより測定した情報等を記憶する。通信装置９０２は、通常のスマートフォンの通信機能を持つ。入出力装置１００３は、通常のスマートフォンの入出力機能でありタッチパネル９０４で構成される。センサー９０５は、方位センサー９０６、角度センサー９０７、カメラ９０８で構成される。
【００２８】
図９（ｂ）は、スマートフォン５００の機能ブロック図である。
スマートフォンのＯＳ９０９上に、アプリケーション９１０が存在する。アプリケーションは、入出力インターフェース制御９１１、通信機能９１２、方位、角度測定機能９１３、カメラ制御９１４、情報処理９１５の機能を持つ。
【００２９】
図１０（ａ）は、サーバーにあらかじめ格納しておくデータの一例を説明する図である。
現地で基地局の設置工事およびアンテナ状態の測定を行う前に、あらかじめ無線通信事業者のオペレータが、サーバーのデータベースの設定データテーブル１０００にデータを入力し、保持しておく。設定データテーブル１０００には、基地局番号１００１、セクタ１００２、方位１００３、仰角１００４のデータを保持しておく。撮影角度１００５は、基地局の設置工事を行う現地の状況に合わせて設置時に決定するため、新規工事の場合はデータを保持しない。既存局工事の場合は、前回撮影した際の値を保持する。許容誤差１００６には、方位１００７、仰角１００８について、許容可能な誤差の値を保持しておく。許容誤差の値は、すべての局に共通して許容する誤差の範囲を保持する。認証情報１００９には、ＩＤ１０１０、パスワード１０１１を保持する。認証情報として設定するこれらの値には、工事担当者に固有のＩＤとパスワードを設定しておく。パスワードは、工事担当者が任意に変更可能なパスワードとする。
【００３０】
図１０（ｂ）は、本実施例のスマートフォンに格納するデータの例を示す図である。
スマートフォンの補助記憶装置には、現地で入力したデータや、現地でスマートフォンに搭載したアプリケーションを用いて測定したデータを格納する。スマートフォンの設定データテーブル１０１２の基地局番号１０１３、セクタ１０１４は、工事担当者が入力する。スマートフォンに搭載したアプリケーションに基づき、各種センサーを用いて測定した方位１０１５、仰角１０１６、また撮影角度１０１７のデータもそれぞれスマートフォンの設定データテーブルに格納する。認証１０１８には、工事担当者が入力する工事担当者のＩＤ１０１９、ＩＤに対応するパスワード１０２０を格納する。写真１０２１には、工事担当者が撮影した画像データ１０２２を格納する。
【００３１】
図１１（ａ）は、サーバーの設定データテーブルのデータ格納イメージを説明する図である。
サーバーの設定データテーブルは、基地局番号ごとに作成し、補助記憶装置８０１に保持する。基地局番号００１の設定データテーブル１１００は、基地局番号００１のセクタごとにデータテーブル１１０１を持つ。データテーブルには、セクタの番号、方位、仰角、写真撮影時の角度などのデータが記載される。基地局番号００２の設定データテーブル１１０２も同様に、データテーブル１１０３を持つ。同様に、各基地局番号に対して、各々設定データテーブルを持つ。
【００３２】
図１１（ｂ）は、サーバーのデータテーブルのデータ格納イメージを説明する図である。
この図に示すデータテーブルは、システム内の基地局に共通して適用するもので、サーバーの補助記憶装置８０１に保持する。認証データテーブル１１０４は、工事担当者に割り振られたＩＤとＩＤに対応するパスワードを保持し、アクセスしてくるスマートフォンを識別するために使用する。許容誤差データテーブル１１０５には、方位の許容誤差、仰角の許容誤差を記載する。
【００３３】
図１２は、本発明の一実施例におけるスマートフォンの動作を説明するフローチャートである。
本実施例では、これらの処理は、スマートフォンに搭載したアプリケーションプログラムを実行することで行う。スマートフォンのアプリケーションプログラムには、あらかじめサーバーのアドレスを設定しておく。また、測定を始める際に、あらかじめアプリケーションプログラムを立ち上げておく。
【００３４】
アプリケーションプログラムの開始（Ｓ１２００）後、工事担当者はＩＤとパスワードを入力（Ｓ１２０１）し、サーバーに送信（Ｓ１２０２）する。この後、スマートフォンはサーバー待ち受け（Ｓ１２０３）の状態となる。
ＩＤとパスワードが一致し、認証結果がＯＫだった場合、スマートフォンはアクセス許可を受信（Ｓ１２０４）する。その後、工事担当者は、工事対象の基地局の基地局番号とセクタを入力（Ｓ１０５）し、測定項目を選択（Ｓ１２０６）する。測定項目は、仰角、方角、写真である。スマートフォンは選択された項目の測定、撮影（Ｓ１２０７）を行い、これらの測定データをサーバーへ送信（Ｓ１２０８）する。この後、スマートフォンはサーバー待ち受け（Ｓ１２０９）の状態となる。
スマートフォンは、サーバーから、測定値がＯＫか（Ｓ１２１０）判定を受信する。ＯＫの場合、スマートフォンのタッチパネルにＯＫ表示（Ｓ１２１１）を行い、動作を終了する（Ｓ１２１２）。ＯＫで無い場合、ＮＧの内容を表示（Ｓ１２１３）し、動作を終了する。
【００３５】
ステップ１２０４において、サーバーにおける認証処理の結果がＯＫでなかった場合、アクセス不許可を受信し、工事担当者はＩＤとパスワードを再入力（Ｓ１２０１）し、サーバーに送信（Ｓ１２０２）する。この後、スマートフォンはサーバー待ち受け（Ｓ１２０３）の状態となる。
【００３６】
図１３は、本発明の一実施例におけるサーバーの動作を説明するフローチャートである。
サーバーは、スマートフォンから送信されてきたＩＤとパスワードを受け取り、ＩＤとパスワードを認証（Ｓ１３０１）する。認証の結果、ＯＫだった場合は（Ｓ１３０２）、サーバー内のデータベースへのアクセス許可をスマートフォンへ送信（Ｓ１３０３）する。認証の結果がＯＫでなかった場合は、アクセス不許可を理由と共にスマートフォンに送信（Ｓ１３０４）する。
【００３７】
アクセス許可を送信後、サーバーは、現地のスマートフォンから基地局番号、セクタ、測定データを受信（Ｓ１３０５）する。サーバーは、スマートフォンから受信したデータの中から基地局番号を参照（Ｓ１３０６）し、さらにセクタを参照（Ｓ１３０７）することで、データベースから該当の基地局の設定データテーブルのセクタのデータを呼び出す。サーバーは、データベースの値とスマートフォンが現地で測定して送信してきた測定値を比較し、測定データの（Ｓ１３０８）判定をする。ＯＫの場合、サーバーは、スマートフォンから受信した測定値をデータベースに新たに保存（Ｓ１３０９）し、スマートフォンに判定結果がＯＫである旨送信（Ｓ１３１０）する。判定の結果ＯＫでない場合には、スマートフォンにＮＧ内容を送信（Ｓ１３１２）する。
【００３８】
図１４ないし図１８は、本発明の一実施例におけるスマートフォンの画面表示例を示す図である。
図１４は、図１２のステップ１２０１の、認証時のＩＤとパスワードの入力画面の表示例である。工事担当者は、図１４に例を示す画面で、工事担当者自身のＩＤとパスワードの入力を行い、サーバーに送信する。
【００３９】
図１５は、図１２のステップ１２０５、ステップ１２０６における基地局番号とセクタの入力および測定項目の選択画面の表示例である。工事担当者は、図１５に例を示す画面で、基地局番号、セクタ、測定項目の選択を行い、スマートフォンのアプリケーションプログラムにより選択した測定項目について測定を行い、基地局番号、セクタ、測定データをサーバーに送信する。
【００４０】
図１６は、図１２のステップ１２０７において、スマートフォンのアプリケーションプログラムが、工事担当者が選択した項目の測定を行う時のスマートフォンの画面表示例である。図１６では、方向（方角）測定の場合を示している。
図１７は、図１２のステップ１２１１におけるスマートフォンの画面表示例を示す図である。スマートフォンは、サーバーから測定内容がＯＫである旨の判定を受け取ると、図１７には、方向（方角）測定結果の内容がＯＫであった場合の例を示している。
図１８は、図１２のステップ１２１３におけるスマートフォンの画面表示例を示す図である。スマートフォンは、サーバーから測定内容がＯＫでない旨の判定を受け取ると、図１８に示すように測定データがＮＧであった旨と、サーバーから送られて来たＮＧの内容を表示する。図１８の例では、方向（方角）測定データが、サーバーに設定されている方位許容誤差＋５°を超えており、ＮＧである場合を示している。工事担当者は、この結果を受け、ＮＧであることを了解して、または応答を保留して再度アンテナの方向の調整を行い、再測定を行ってサーバーに再測定結果を送信する。
【００４１】
以上説明した実施例によれば、工事担当者が、高所におけるアンテナ設置作業においても、専用のアプリケーションプログラムを搭載したスマートフォンを所定の固定部に固定してタッチパネルを操作するだけで、アンテナの設置状態の確認ができ、アンテナを設計通りに取り付けることが可能となる。
【符号の説明】
【００４２】
１００  支持柱
１０１  アンテナ
２００  アンテナ取り付け装置
２０１  アンテナかぶせ部
２０２  アンテナ固定部
２０３  スマートフォン固定部
４００  角度固定部
４０１  可動式部品
４０２  スマートフォン固定部品
５００  スマートフォン
５０１  バンド
６００  確認窓の中心方向
６０１  アンテナの指向方向の中心目印
７００  サーバー
７０１  インターネット
７０２  交換機
７０３  基地局
８００  情報処理装置
８０１  補助記憶装置
８０２  通信装置
８０３  入出力装置
８０４  ディスプレイ
８０５  キーボード
９００  情報処理装置
９０１  補助記憶装置
９０２  通信装置
９０３  入出力装置
９０４  タッチパネル
９０５  センサー
９０６  方位センサー
９０７  角度センサー
９０８  カメラ
【図１】
2016152419.tif 000003
【図２】
2016152419.tif 000004
【図３】
2016152419.tif 000005
【図４】
2016152419.tif 000006
【図５】
2016152419.tif 000007
【図６】
2016152419.tif 000008
【図７】
2016152419.tif 000009
【図８（ａ）】
2016152419.tif 000010
【図８（ｂ）】
2016152419.tif 000011
【図９（ａ）】
2016152419.tif 000012
【図９（ｂ）】
2016152419.tif 000013
【図１０（ａ）】
2016152419.tif 000014
【図１０（ｂ）】
2016152419.tif 000015
【図１１（ａ）】
2016152419.tif 000016
【図１１（ｂ）】
2016152419.tif 000017
【図１２】
2016152419.tif 000018
【図１３】
2016152419.tif 000019
【図１４】
2016152419.tif 000020
【図１５】
2016152419.tif 000021
【図１６】
2016152419.tif 000022
【図１７】
2016152419.tif 000023
【図１８】
2016152419.tif 000024